(57)【要約】      （修正有）【課題】清掃シートおよび清掃用具に関する一層合理的な構築技術を提供する【解決手段】基部１３０は、第１領域１１０と、第２領域と、不織布が露出する領域である不織布領域とを有し、第２領域を保持具側に向けた状態において第１領域１１０は第１清掃領域１１２を形成し、第１領域１１０を保持具側に向けた状態において第２領域は第２清掃領域を形成し、第１清掃領域１１２は、塵芥を捕捉する領域である第１捕捉部１１１を有し、第２清掃領域は、不織布領域により形成される第２捕捉部１２１を有する。【選択図】図７
2015066335.tif 000002
【特許請求の範囲】
【請求項１】
保持具に取り付けることにより使用される清掃シートであって、
前記清掃シートは、長手方向と、当該長手方向と交差する方向である長手交差方向に延在するとともに不織布により形成される基部と、第１面と、当該第１面と対向する面である第２面とを有し、
前記基部は、前記第１面側に位置する第１領域と、前記第２面側に位置する第２領域と、前記不織布を構成する繊維である不織布構成繊維体と、前記不織布が露出する領域である不織布領域とを有し、
前記第２領域を前記保持具側に向けた状態において前記清掃シートを前記保持具に取り付けた場合に、前記第１領域は第１清掃領域を形成し、
前記第１領域を前記保持具側に向けた状態において前記清掃シートを前記保持具に取り付けた場合に、前記第２領域は第２清掃領域を形成し、
前記第１清掃領域は、塵芥を捕捉する領域である第１捕捉部を有し、
前記第２清掃領域は、前記不織布領域により形成されるとともに塵芥を捕捉する第２捕捉部を有することを特徴とする清掃シート。
【請求項２】
請求項１に記載された清掃シートであって、
前記清掃シートは、前記長手交差方向上の両端部を含む領域に、前記保持具に固定される固定領域を有することを特徴とする清掃シート。
【請求項３】
請求項２に記載された清掃シートであって、
前記清掃シートは、前記長手方向に延びるとともに前記第１面における前記長手交差方向上の端部領域を、前記第１面における中央領域の方向に向かって折り返す第１折り返し部を有し、
前記清掃シートを前記第１折り返し部により折り返すことによって、前記第１面における前記固定領域を、前記保持具に固定することを特徴とする清掃シート。
【請求項４】
請求項２に記載された清掃シートであって、
前記清掃シートは、前記長手方向に延びるとともに前記第２面における前記長手交差方向上の端部領域を、前記第２面における中央領域の方向に向かって折り返す第２折り返し部を有し、
前記清掃シートを前記第２折り返し部により折り返すことによって、前記第２面における前記固定領域を、前記保持具に固定することを特徴とする清掃シート。
【請求項５】
請求項１〜４のいずれか１項に記載された清掃シートであって、
前記第２捕捉部は、複数の前記不織布構成繊維体が絡まることにより形成される絡合繊維領域を有することを特徴とする清掃シート。
【請求項６】
請求項１〜５のいずれか１項に記載された清掃シートであって、
前記第１領域は、複数の長繊維の集合体により形成された繊維束と、当該繊維束と前記基部とを接合する接合部とを有し、
前記第１捕捉部は、前記繊維束により形成されることを特徴とする清掃シート。
【請求項７】
請求項１〜６のいずれか１項に記載された清掃シートであって、
前記基部は、開口を有し、
当該開口は、前記第１領域と前記第２領域との間に亘る通路領域を形成することを特徴とする清掃シート。
【請求項８】
保持具と、当該保持具に取り付けることにより使用される清掃シートとを有する清掃用具であって、
前記保持具は、使用者に把持される把持部と、前記清掃シートを保持するための保持部と、当該保持部に保持された清掃シートが当接される当接部を有し、
前記清掃シートは、長手方向と、当該長手方向と交差する方向である長手交差方向に延在するとともに不織布により形成される基部と、第１面と、当該第１面と対向する面である第２面とを有し、
前記基部は、前記第１面側に位置する第１領域と、前記第２面側に位置する第２領域と、前記不織布を構成する繊維である不織布構成繊維体と、前記不織布が露出する領域である不織布領域とを有し、
前記第２領域を前記当接部側に向けた状態において前記清掃シートを前記保持部に固定した場合に、前記第１領域は第１清掃領域を形成し、
前記第１領域を前記当接部側に向けた状態において前記清掃シートを前記保持部に固定した場合に、前記第２領域は第２清掃領域を形成し、
前記第１清掃領域は、塵芥を捕捉する領域である第１捕捉部を有し、
前記第２清掃領域は、前記不織布領域により形成されるとともに塵芥を捕捉する第２捕捉部を有することを特徴とする清掃用具。
【請求項９】
請求項８に記載された清掃用具であって、
前記清掃シートは、前記長手交差方向上の両端部を含む領域に、前記保持部に固定される固定領域を有することを特徴とする清掃用具。
【請求項１０】
請求項９に記載された清掃用具であって、
前記清掃シートは、前記長手方向に延びるとともに前記第１面における前記長手交差方向上の端部領域を、前記第１面における中央領域の方向に向かって折り返す第１折り返し部を有し、
前記清掃シートを前記第１折り返し部により折り返すことによって、前記第１面における前記固定領域を、前記保持部に固定することを特徴とする清掃用具。
【請求項１１】
請求項９に記載された清掃用具であって、
前記清掃シートは、前記長手方向に延びるとともに前記第２面における前記長手交差方向上の端部領域を、前記第２面における中央領域の方向に向かって折り返す第２折り返し部を有し、
前記清掃シートを前記第２折り返し部により折り返すことによって、前記第２面における前記固定領域を、前記保持部に固定することを特徴とする清掃用具。
【請求項１２】
請求項８〜１１のいずれか１項に記載された清掃用具であって、
前記第２捕捉部は、複数の前記不織布構成繊維体が絡まることにより形成される絡合繊維領域を有することを特徴とする清掃用具。
【請求項１３】
請求項８〜１２のいずれか１項に記載された清掃用具であって、
前記第１領域は、複数の長繊維の集合体により形成された繊維束と、当該繊維束と前記基部とを接合する接合部とを有し、
前記第１捕捉部は、前記繊維束により形成されることを特徴とする清掃用具。
【請求項１４】
請求項８〜１３のいずれか１項に記載された清掃用具であって、
前記基部は、開口を有し、
当該開口は、前記第１領域と前記第２領域との間に亘る通路領域を形成することを特徴とする清掃用具。
【発明の詳細な説明】
【技術分野】
【０００１】
本発明は、清掃対象を清掃するための清掃シートおよび清掃用具に関する。
【背景技術】
【０００２】
特開平１１−２９５号公報には、主に床を清掃するための清掃シートが開示されている。この清掃シートは、保持具に保持されて使用される。また、この清掃シートは、網状シートと、繊維ウェブとを積層し、これらを水流交絡等により絡合することにより形成される。
特開平１１−２９５号公報に記載された清掃シートは、両面を使用することができる。しかし、清掃シートにおける一方の面と他方の面とは、同様の構成であった。したがって、ユーザが所望する清掃作業を行おうとしても、適切な清掃シートにおける清掃面を選択することができなかった。
【先行技術文献】
【特許文献】
【０００３】
【特許文献１】特開平１１−２９５号公報
【発明の概要】
【発明が解決しようとする課題】
【０００４】
本発明は、このような点に鑑みて創案されたものであり、清掃シートおよび清掃用具に関する一層合理的な構築技術を提供することを目的とする。
【課題を解決するための手段】
【０００５】
上記課題を解決するため、本発明に係る清掃シートの好ましい形態によれば、清掃シートは保持具に取り付けることにより使用される。
清掃シートは、長手方向と、当該長手方向と交差する方向である長手交差方向に延在するとともに不織布により形成される基部と、第１面と、当該第１面と対向する面である第２面とを有する。
基部は、第１面側に位置する第１領域と、第２面側に位置する第２領域と、不織布を構成する繊維である不織布構成繊維体と、不織布が露出する領域である不織布領域とを有する。
このような構成により、第２領域を保持具側に向けた状態において清掃シートを保持具に取り付けた場合に、第１領域は第１清掃領域を形成する。また、第１領域を保持具側に向けた状態において清掃シートを保持具に取り付けた場合に、第２領域は第２清掃領域を形成する。
そして、第１清掃領域は、塵芥を捕捉する領域である第１捕捉部を有する。第２清掃領域は、不織布領域により形成されるとともに塵芥を捕捉する第２捕捉部を有する。
本発明に係る清掃シートは、このような構成を有しているため、第１捕捉部および第２捕捉部により清掃作業を行うことが可能となる。よって、ユーザは、清掃対象や、要求される清掃作業に応じて、第１捕捉部と第２捕捉部を選択することが可能となる。
【０００６】
本発明に係る清掃シートのさらなる形態によれば、清掃シートは、長手交差方向上の両端部を含む領域に、保持具に固定される固定領域を有する。よって、固定領域により、清掃シートを保持具に良好に取り付けることができる。
【０００７】
本発明に係る清掃シートのさらなる形態によれば、清掃シートは、長手方向に延びるとともに第１面における長手交差方向上の端部領域を、第１面における中央領域の方向に向かって折り返す第１折り返し部を有する。
よって、清掃シートを第１折り返し部により折り返すことによって、第１面における固定領域を、保持具に固定することが可能となる。
【０００８】
本発明に係る清掃シートのさらなる形態によれば、清掃シートは、長手方向に延びるとともに第２面における長手交差方向上の端部領域を、第２面における中央領域の方向に向かって折り返す第２折り返し部を有する。
よって、清掃シートを第２折り返し部により折り返すことによって、第２面における固定領域を、保持具に固定することが可能となる。
【０００９】
本発明に係る清掃シートのさらなる形態によれば、第２捕捉部は、複数の不織布構成繊維体が絡まることにより形成される絡合繊維領域を有する。よって、ユーザは、絡合繊維領域により清掃対象の塵芥を捕捉することが可能となる。
【００１０】
本発明に係る清掃シートのさらなる形態によれば、第１領域は、複数の長繊維の集合体により形成された繊維束と、当該繊維束と基部とを接合する接合部とを有する。そして、第１捕捉部は、繊維束により形成される。
よって、ユーザは、繊維束により清掃対象の塵芥を捕捉することが可能となる。
【００１１】
本発明に係る清掃シートのさらなる形態によれば、基部は、開口を有する。開口は、第１領域と第２領域との間に亘る通路領域を形成する。
よって、第１捕捉部で捕捉された塵芥は、開口を通じて第２捕捉部へと移動されることができる。また、第２捕捉部で捕捉された塵芥は、開口を通じて第１捕捉部へと移動されることができる。すなわち、第１捕捉部および第２捕捉部による塵芥の捕捉領域を有効に活用することができる。
【００１２】
上記課題を解決するため、本発明に係る清掃用具の好ましい形態によれば、清掃用具は、保持具と、当該保持具に取り付けることにより使用される清掃シートとを有する。
保持具は、使用者に把持される把持部と、清掃シートを保持するための保持部と、当該保持部に保持された清掃シートが当接される当接部を有する。
清掃シートは、長手方向と、当該長手方向と交差する方向である長手交差方向に延在するとともに不織布により形成される基部と、第１面と、当該第１面と対向する面である第２面とを有する。
基部は、第１面側に位置する第１領域と、第２面側に位置する第２領域と、不織布を構成する繊維である不織布構成繊維体と、不織布が露出する領域である不織布領域とを有する。
このような構成により、第２領域を当接部側に向けた状態において清掃シートを保持部に固定した場合に、第１領域は第１清掃領域を形成する。また、第１領域を当接部側に向けた状態において清掃シートを保持部に固定した場合に、第２領域は第２清掃領域を形成する。
そして、第１清掃領域は、塵芥を捕捉する領域である第１捕捉部を有する。第２清掃領域は、不織布領域により形成されるとともに塵芥を捕捉する第２捕捉部を有する。
本発明に係る清掃用具は、このような構成を有しているため、第１捕捉部および第２捕捉部により清掃作業を行うことが可能となる。よって、ユーザは、清掃対象や、要求される清掃作業に応じて、第１捕捉部と第２捕捉部を選択することが可能となる。
【００１３】
本発明に係る清掃用具のさらなる形態によれば、清掃シートは、長手交差方向上の両端部を含む領域に、保持部に固定される固定領域を有する。よって、固定領域により、清掃シートを保持具に良好に取り付けることができる。
【００１４】
本発明に係る清掃用具のさらなる形態によれば、清掃シートは、長手方向に延びるとともに第１面における長手交差方向上の端部領域を、第１面における中央領域の方向に向かって折り返す第１折り返し部を有する。
よって、清掃シートを第１折り返し部により折り返すことによって、第１面における固定領域を、保持部に固定することが可能となる。
【００１５】
本発明に係る清掃用具のさらなる形態によれば、清掃シートは、長手方向に延びるとともに第２面における長手交差方向上の端部領域を、第２面における中央領域の方向に向かって折り返す第２折り返し部を有する。
よって、清掃シートを第２折り返し部により折り返すことによって、第２面における固定領域を、保持部に固定することが可能となる。
【００１６】
本発明に係る清掃用具のさらなる形態によれば、第２捕捉部は、複数の不織布構成繊維体が絡まることにより形成される絡合繊維領域を有する。よって、ユーザは、絡合繊維領域により清掃対象の塵芥を捕捉することが可能となる。
【００１７】
本発明に係る清掃用具のさらなる形態によれば、第１領域は、複数の長繊維の集合体により形成された繊維束と、当該繊維束と基部とを接合する接合部とを有する。そして、第１捕捉部は、繊維束により形成される。
よって、ユーザは、繊維束により清掃対象の塵芥を捕捉することが可能となる
【００１８】
本発明に係る清掃用具のさらなる形態によれば、基部は、開口を有する。開口は、第１領域と第２領域との間に亘る通路領域を形成する。
よって、第１捕捉部で捕捉された塵芥は、開口を通じて第２捕捉部へと移動されることができる。また、第２捕捉部で捕捉された塵芥は、開口を通じて第１捕捉部へと移動されることができる。すなわち、第１捕捉部および第２捕捉部による塵芥の捕捉領域を有効に活用することができる。
【発明の効果】
【００１９】
本発明によれば、清掃シートおよび清掃用具に関する一層合理的な構築技術を提供することが可能となる。
【図面の簡単な説明】
【００２０】
【図１】本発明の実施形態に係る清掃用具の全体構成を示す斜視図である。
【図２】清掃体の概要を示す斜視図である。
【図３】清掃体の各構成要素を示す平面図である。
【図４】図３のＩ−Ｉ線における断面方向からみた分解図である。
【図５】図３のＩＩ−ＩＩ線における断面図である。
【図６】図３のＩＩＩ−ＩＩＩ線における断面図である。
【図７】第１清掃領域の説明図である。
【図８】不織布領域の説明図である。
【図９】不織布領域の説明図である。
【図１０】第１清掃領域の作用を示す説明図である。
【図１１】第２清掃領域の説明図である。
【図１２】開口の作用を示す説明図である。
【図１３】絡合繊維領域を示す説明図である。
【図１４】第１変形例を示す説明図である。
【図１５】第１変形例の作用を示す説明図である。
【図１６】第２変形例を示す説明図である。
【図１７】第２変形例を示す断面図である。
【発明を実施するための形態】
【００２１】
（清掃用具の概略）
以下、本発明の実施形態について、図１〜図１３を参照しつつ詳細に説明する。まず、本発明における「清掃用具」の一実施の形態である清掃用具Ａの構成につき説明する。この清掃用具Ａを用いて清掃される清掃対象としては、一戸建て、マンション、ビル、工場、車両などの室内、室外、屋外における被清掃面（床面、壁面、窓、天井面、外壁面、家具面、衣類、カーテン、寝具、照明、家電品など）や、人体の各構成部位における被清掃面などが挙げられる。これら各種の被清掃面は、平面として構成されてもよいし、或いは曲面、凹凸面、段差面として構成されてもよい。
なお、本発明における清掃用具Ａは、保持具２００と、保持具２００に取り付けられて使用される清掃体１００とを有する。この内、特に保持具にあっては、被清掃面によりその構成が異なる。本発明に係る実施形態においては、特に床面の清掃に適した保持具２００につき説明を行う。清掃体１００は、使い捨ての清掃体であってもよく、洗濯等により繰り返し使用される清掃体であっても良い。以下においては、使い捨ての清掃体１００として説明する。
この清掃用具Ａが、本発明に係る「清掃用具」の一例である。この保持具２００が、本発明に係る「保持具」の一例である。この清掃体１００が、本発明に係る「清掃シート」の一例である。
【００２２】
（保持具の構成）
図１に示すように、清掃用具Ａは、保持具２００と清掃体１００で構成されている。保持具２００は、清掃体１００を着脱可能に保持するように構成されている。本発明の実施形態に係る保持具２００は、床面を清掃するために提案された様々な保持具を適宜使用することができる。
保持具２００は、使用者に把持される把持部２１０と、把持部２１０から延在するパイプ部２５０と、ヘッド部２２０と、パイプ部２５０とヘッド部２２０とを連結する連結部２６０を有する。パイプ部２５０は、複数のパイプ部材を連結することにより長尺状に形成される。連結部２６０は、パイプ部２５０（把持部２１０）に対して、ヘッド部２２０が回動自在となるように形成されている。
この把持部２１０が、本発明に係る「把持部」の一例である。
【００２３】
ヘッド部２２０は、使用者が床面を清掃する際に、使用者側に向けられる第１ヘッド面２２０Ｚ１を有する。ヘッド部２２０は、第１ヘッド面２２０Ｚ１と対向する面である第２ヘッド面２２０Ｚ２を有する。第２ヘッド面２２０Ｚ２は、使用者が床面を清掃する際に、床側に向けられる面である。
第１ヘッド面２２０Ｚ１は、清掃体１００を保持するための保持部２３０を有する。上述の通り、保持部２３０の構成は、この種の保持部における種々の構成を適宜選択することができる。例えば、保持部２３０は、弾性を有する合成樹脂による板状部材と、当該板状部材に設けたスリットとにより形成することができる。この場合、使用者は、スリットに清掃体１００を押し込むことにより、清掃体１００と保持具２００とを固定することができる。なお、後述の通り、保持部２３０に固定される清掃体１００の領域は、固定領域１６１とされる。保持部２３０は、着脱自在に清掃体１００を保持する。
この保持部２３０が、本発明に係る「保持部」の一例である。
【００２４】
第２ヘッド面２２０Ｚ２は、保持部２３０に取り付けられた清掃体１００が当接される当接部２４０を形成する。当接部２４０の構成は、この種の当接部における種々の構成を適宜選択することができる。例えば、当接部２４０は、弾性を有する合成樹脂性の発泡体により形成することができる。また、当接部２４０の表面として、凹凸を形成することができる。
この当接部２４０が、本発明に係る「当接部」の一例である。
【００２５】
（清掃体の構成）
清掃体１００の構成を、図１〜図９に基づき説明する。図２は、清掃体１００の概要を示す。清掃体１００は、シート状であり、長手方向Ｙと、長手方向Ｙと交差する方向である長手交差方向Ｘと、長手方向Ｙと長手交差方向Ｘの双方に交差する方向である厚み方向Ｚとに延在する。この長手方向Ｙが、本発明に係る「長手方向」の一例である。この長手交差方向Ｘが、本発明に係る「長手交差方向」の一例である。
【００２６】
清掃体１００は、長手方向Ｙ上の端部１００Ｙと、長手交差方向Ｘ上の端部１００Ｘとを有する。清掃体１００において、長手方向Ｙ上の端部１００Ｙを含む領域は長手方向端部領域１００Ｙ１とされる。清掃体１００において、長手交差方向Ｘ上の端部１００Ｘを含む領域は長手交差方向端部領域１００Ｘ１とされる。清掃体１００において、長手方向端部領域１００Ｙ１と、長手交差方向端部領域Ｘ１とを構成しない領域は、中央領域１００Ｃ１とされる。この長手方向交差端部領域１００Ｘ１が、本発明に係る「長手交差方向上の両端部を含む領域」の一例である。この中央領域１００Ｃ１が、本発明に係る「中央領域」の一例である。
【００２７】
清掃体１００は、第１面１００Ｚ１と、当該第１面１００Ｚ１と対向する面である第２面１００Ｚ２とを有する。この第１面１００Ｚ１が、本発明に係る「第１面」の一例である。この第２面１００Ｚ２が、本発明に係る「第２面」の一例である。
【００２８】
本発明に係る実施形態において、清掃体１００は長方形である。一方、清掃体１００の形状はどのような形状でも良い。例えば、正四角形、多角形、円形などでも良い。清掃体１００が正四角形や真円形の場合、長手方向Ｙは、任意の方向である第１方向により規定することができる。この際、長手交差方向Ｘは、当該第１方向と交差する方向により規定することができる。
【００２９】
図３は、清掃体１００を第１面１００Ｚ１から見た状態の平面図である。図４は、図３におけるＩ-Ｉ線の断面方向から見た分解図である。
清掃体１００は、基部１３０と、基部１３０に接合された側方シート部１６０とを有する。側方シート部１６０は、基部１３０における長手交差方向Ｘ上の端部を含む領域において、基部１３０と接合される。側方シート部１６０は、第１面１００Ｚ１側と、第２面１００Ｚ２側とにそれぞれ設けられる。すなわち、基部１３０は、第１面１００Ｚ１側の側方シート部１６０と、第２面１００Ｚ２側の側方シート部１６０とにより挟まれる。基部１３０と側方シート部１６０の接合は、後述する第１接合部１５０と接着剤（図示せず）とにより行われる。この基部１３０が、本発明に係る「基部」の一例である。
【００３０】
図１に示すように、清掃体１００を、保持具２００のヘッド部２２０に取り付けた場合には、側方シート部１６０を有する領域が第１ヘッド面２２０Ｚ１側に折り返される。この清掃体１００における「折り返された領域」は、ヘッド部２２０の当接部２４０に当接しない領域となる。第１ヘッド面２２０Ｚ１に折り返された側方シート部１６０の一部は、保持具２００の保持部２３０に固定される。この保持部２３０に固定される領域は、固定領域１６１とされる。固定領域１６１においては、側方シート部１６０に多数の切込み（図示せず）を設けることができる。この多数の切込みにより、固定領域１６１が容易に変形される。よって、固定領域１６１を容易に保持部２３０に固定することができる。この固定領域１６１が、本発明に係る「固定領域」の一例である。
【００３１】
清掃体１００をヘッド部２２０に取り付けた際に、当接部２４０に当接する基部１３０の領域において、第１面１００Ｚ１側の領域が第１領域１１０を形成する。清掃体１００をヘッド部２２０に取り付けた際に、当接部２４０に当接する基部１３０の領域において、第２面１００Ｚ２側の領域が第２領域１２０を形成する。この第１領域１１０が、本発明に係る「第１領域」の一例である。この第２領域１２０が、本発明に係る「第２領域」の一例である。
【００３２】
ここで、清掃体１００を保持具２００に取り付ける際の動作を説明する。まず、基部１３０の第１領域１１０を、当接部２４０に当接させた場合の動作につき説明する。はじめに、清掃シート１００の第１面１００Ｚ１（基部１３０の第１領域１１０）を、当接部２４０に当接させる。次に、第１面１００Ｚ１における長手交差方向端部領域１００Ｘ１を、第１面１００Ｚ１における中央領域１００Ｃ１の方向に向かって折り返す。この際、当該折り返し作業に伴い、第１折り返し部１６１Ａが形成される。この第１折り返し部１６１Ａが、本発明に係る「第１折り返し部」の一例である。
第１折り返し部１６１Ａにより折り返された領域は、側方シート部１６０を有する。第１折り返し部１６１Ａにより折り返された領域は、ヘッド部２２０の第１ヘッド面２２０Ｚ１上へ配置される。そして、第１面１００Ｚ１における固定領域１６１を、保持具２００の保持部２３０に固定する。これにより、基部１３０の第１領域１１０を、当接部２４０に当接させた状態で、清掃体１００を保持具２００に固定することができる。
【００３３】
次に、基部１３０の第２領域１２０を、当接部２４０に当接させた場合の動作につき説明する。はじめに、清掃シート１００の第２面１００Ｚ２（基部１３０の第２領域１２０）を、当接部２４０に当接させる。次に、第２面１００Ｚ２における長手交差方向端部領域１００Ｘ１を、第２面１００Ｚ１における中央領域１００Ｃ１の方向に向かって折り返す。この際、当該折り返し作業に伴い、第２折り返し部１６１Ｂが形成される。この第２折り返し部１６１Ｂが、本発明に係る「第２折り返し部」の一例である。
第２折り返し部１６１Ｂにより折り返された領域は、側方シート部１６０を有する。第２折り返し部１６１Ｂにより折り返された領域は、ヘッド部２２０の第１ヘッド面２２０Ｚ１上へ配置される。そして、第２面１００Ｚ２における固定領域１６１を、保持具２００の保持部２３０に固定する。これにより、基部１３０の第２領域１２０を、当接部２４０に当接させた状態で、清掃体１００を保持具２００に固定することができる。
【００３４】
清掃体１００の第１面１００Ｚ１は、第１領域１１０を含む領域に、複数の長繊維の集合体により形成された繊維束１１３を有する。繊維束１１３は、基部１３０上に配置される。さらに繊維束１１３は、繊維束１１３における長手交差方向Ｘ上の端部を含む領域が、基部１３０と側方シート部１６０とにより挟まれる。このような状態において、繊維束１１３は、基部１３０および側方シート部１６０に第１接合部１５０により接合される。
すなわち、第１接合部１５０は、第１領域１１０においては、繊維束１１３と基部１３０とを接合する。また、第１接合部１５０は、第１領域１１０以外の領域においては、繊維束１１３と、基部１３０と、側方シート部１６０とを接合する領域を有する。さらに、第１接合部１５０は、第１領域１１０以外の領域においては、基部１３０と、側方シート部１６０とを接合する領域を有する。
【００３５】
第１接合部１５０は、繊維束１１３と、基部１３０と、側方シート部１６０とにおける所望の領域を、熱溶着することにより設けられる。第１接合部１５０は、任意の数により複数個設けられる。一方、第１接合部１５０は、ソニックシール、縫製、粘着剤による接合等の手段を選択することもできる。
【００３６】
繊維束１１３は、塵芥を捕捉するための第１捕捉部１１１を形成する。この第１捕捉部１１１が、本発明に係る「第１捕捉部」の一例である。
繊維束１１３は、隣り合う第１接合部１５０同士の間にて切断される。なお、繊維束１１３を切断するにあたっては、カッターにより繊維束１１３の所望の領域を切断する。この切断作業は、繊維束１１３と基部１３０とに対して行われる。よって、この切断作業によって、繊維束１１３には疎繊維領域１１１Ｄが形成され、基部１３０には開口１４１が形成される。この開口１４１が、本発明に係る「開口」の一例である。
繊維側１１３における疎繊維領域１１１Ｄおよび基部１３０における開口１４１は、所望の領域において複数個形成される。
なお、開口１４１は後述する通り、第１領域１１０と第２領域１２０とをつなぐ通路領域１４１Ａを形成する。この通路領域１４１Ａが、本発明に係る「通路領域」の一例である。
【００３７】
図５は、図３におけるＩＩ−ＩＩ線の断面図である。この図３におけるＩＩ−ＩＩ線は、疎繊維領域１１１Ｄ（開口１４１）が形成されていない領域を通過している。すなわち、図５は、繊維束１１３が切断されていない領域を示す。図５において、隣り合う第１接合部１５０に亘る繊維束１１３は、第１捕捉部１１１を形成する。
【００３８】
図６は、図３におけるＩＩＩ−ＩＩＩ線の断面図である。この図３におけるＩＩＩ−ＩＩＩ線は、疎繊維領域１１１Ｄ（開口１４１）が形成されている領域を通過している。切断された繊維束１１３は、第１接合部１５０により基部１３０に固定された端部と、自由端とを有する。よって、当該切断された繊維束１１３は、自由端を有するため、移動し絡まりやすいものである。そして切断された繊維束１１３は、絡まることにより密繊維領域１１１Ｂを形成する。
【００３９】
なお、切断された繊維束１１３が絡まることにより密繊維領域１１１Ｂが形成される。よって、繊維束１１３の切断箇所に相当する疎繊維領域１１１Ｄは、密繊維領域１１１Ｂよりも繊維が少ない領域であるということができる。なお、密繊維領域１１１Ｂにおける繊維の絡まり状態によっては、疎繊維領域１１１Ｄは、繊維が存在しない領域となる場合があり得る。本発明における疎繊維領域１１１Ｄは、密繊維領域１１１Ｂが形成された結果生ずる、繊維が存在しない領域をも含むものである。
【００４０】
図６は、設計上もしくは製造直後の状態を示すものである。一方、図７は、使用者が清掃体１００をパッケージから取り出した後の状態を示す。すなわち、図７は、清掃体１００を実際に使用する状態や、清掃体１００を使用している状態、もしくは清掃体１００を使用した後の状態を示す。密繊維領域１１１Ｂにおける繊維束１１３は、繊維同士が絡み合うことにより基部１３０に対して突出する第１突出領域１１１Ａを形成する。一方、疎繊維領域１１１Ｄにおいては、第１突出領域１１１Ａよりも基部１３０に対して突出していない領域が形成される。すなわち、疎繊維領域１１１Ｄは、第１突出領域１１１Ａに対して窪んでいる第１窪み領域１１１Ｃを形成する。
【００４１】
図８は、第２面１００Ｚ２における基部１３０を示す説明図である。図９は、第２面１００Ｚ２における基部１３０であって、第１接合部１５０および開口１４１が形成されている領域を示す説明図である。
第２面１００Ｚ２において、特に第２領域１２０は、基部１３０が露出されることにより形成される。基部１３０は、不織布により形成される。すなわち、基部１３０は、繊維により形成される不織布構成繊維体１３２を有する。なお、不織布構成繊維体は、不織布繊維構成体とも称される。第２領域１２０は、露出された基部１３０により不織布領域１３１が形成される。不織布領域１３１は、塵芥を捕捉するための第２捕捉部１２１を形成する。
この不織布構成繊維体１３２が、本発明に係る「不織布構成繊維体」の一例である。この不織布が、本発明に係る「不織布」の一例である。この不織布領域１３１が、本発明に係る「不織布領域１３１」の一例である。この第２捕捉部１２１が、本発明に係る「第２捕捉部」の一例である。
【００４２】
本実施形態に係る基部１３０を構成する不織布としては、スパンボンド不織布が使用される。すなわち、長繊維である不織布構成繊維体１３２は、第２接合部１３３により固定される。第２接合部１３３は、エンボス加工により、不織布構成繊維体１３２を熱溶着することにより形成される。第２接合部１３３は、所望の領域に対し複数個形成される。
【００４３】
不織布構成繊維体１３２の内、第２接合部１３３同士の間に位置するものは、第１不織布構成繊維体１３２１を形成する。この第１不織布構成繊維体１３２１は、その両端が、第２接合部１３３に接合されている不織布構成繊維体１３２であるということができる。
また、不織布構成繊維体１３２の内、一方の端部が第１接合部１５０と接続しているものは、第２不織布構成繊維体１３２２を形成する。
また、基部１３０に開口１４１を形成する際に、切断された不織布構成繊維体１３２が存在する。このような不織布構成繊維体１３２は、一方の端部が自由端とされている。この開口１４１の形成にあたり一方の端部が自由端となった不織布構成繊維体１３２は、第３不織布構成繊維体１３２３を形成する。
複数の不織布構成繊維体１３２は、互いに絡合することにより絡合繊維領域１３４を形成する。特に、第３不織布構成繊維体１３２３においては、一方の端部が自由端である。よって第３不織布構成繊維体１３２３は移動しやすく、他の不織布構成繊維体１３２と絡合しやすい。絡合繊維領域１３４の内、第３不織布構成繊維体１３２３を有するものは、第１絡合繊維領域１３４Ａを形成する。この絡合繊維領域１３４が、本発明に係る「絡合繊維領域」の一例である。
【００４４】
第１領域１１０における第１突出領域１１１Ａと対向する第２領域１２０上の領域には、突出形成領域１２１Ｃが形成される。また、第１領域１１０における第１窪み領域１１１Ｃと対向する第２領域１２０上の領域には、窪み形成領域１２１Ｄが形成される。
ここで、第１領域１１０を当接部２４０に向けた状態で、清掃体１００を保持具２００に取り付けた場合を説明する。この場合、当接部２４０と基部１３０との間に第１突出領域１１１Ａおよび第１窪み領域１１１Ｃが配置される。基部１３０は、不織布により形成されているため可撓性を有する。よって、基部１３０は、第１突出領域１１１Ａおよび第１窪み領域１１１Ｃの形状に沿って撓み、第２領域１２０における表面形状を変化させる。すなわち、第２領域１２０は、第１突出領域１１１Ａと対向する領域である突出形成領域１２１Ｃが、保持具２００に対し突出する。したがって、突出形成領域１２１Ｃに、第２突出領域１２１Ａが形成される。また、第１窪み領域１１１Ｃに対向する領域である窪み形成領域１２１Ｄは、第２突出領域１２１Ａよりも保持具２００に対し突出しない領域となる。したがって、窪み形成領域１２１Ｄに、第２窪み領域１２１Ｂが形成される。
【００４５】
なお、第１突出領域１１１Ａと第１窪み領域１１１Ｃの存在により、基部１３０が撓むことによって、第２突出領域１２１Ａと第２窪み領域１２１Ｂとが形成される。この意味において、第２突出領域１２１Ａを形成する突出形成領域１２１Ｃは、第１突出領域１１１Ａと対向する全ての領域を示すものではない。すなわち、第１突出領域１１１Ａと対向する領域における一部の領域が、突出形成領域１２１Ｃを形成すれば足りるものである。
これと同様に、第２窪み領域１２１Ｂを形成する窪み形成領域１２１Ｄは、第１窪み領域１１１Ｃと対向する全ての領域を示すものではない。すなわち、第１窪み領域１１１Ｃと対向する領域における一部の領域が、窪み形成領域１２１Ｄを形成すれば足りるものである。
【００４６】
また、第１突出領域１１１Ａを形成する繊維の量や、繊維の柔軟性や、繊維の密度によっては、第１領域１１０を当接部２４０に向けた状態で清掃体１００を保持具２００に取り付けた直後において、第２突出領域１２１Ａおよび第２窪み領域１２１Ｄが形成されない場合がある。この場合であっても、ユーザの清掃作業に伴い、第２領域１２０には圧力が加わる。この圧力によって、第１突出領域１１１Ａと第１窪み領域１１１Ｃの存在により、基部１３０が撓む。すなわち、当接部２４０と清掃対象との間における第２領域１２０においては、第１突出領域１１１Ａと対向する領域の一部がユーザによる圧力を受ける領域となる。一方、第１窪み領域１１１Ｃと対向する領域の一部が、ユーザによる圧力を受けにくい領域となる。すなわち、ユーザが清掃作業を行っている場合において、第１突出領域１１１Ａと対向する領域の一部には、第２突出領域１２１Ａが形成される結果となる。また、第１窪み領域１１１Ｃと対向する領域の一部には、第２窪み領域１２１Ｂが形成される結果となる。
【００４７】
基部１３０は、上述のように不織布により形成される。不織布としてはスパンボンド不織布のほか、スルーエア不織布、スパンレース不織布、エアレイド不織布、ポイントボンド不織布、メルトブローン不織布、等を使用することができる。なお、不織布構成繊維体１３２は、熱可塑性繊維が好ましい。本発明においては、後縦する通り、芯部１３２Ａがポリエステル（ＰＥＴ）、鞘部１３２Ｂがポリエチレン（ＰＥ）による芯鞘複合繊維が使用される。また、不織布構成繊維体１３２は、ポリプロピレン（ＰＰ）、ナイロン、アクリル、レーヨンを使用することもできる。
基部１３０は、光線透過率が７５〜９０パーセントとされている。このため、第１領域１１０側から第２領域１２０側を視認することが可能である。また、第２領域１２０側から第１領域１１０側を視認することが可能である。
【００４８】
側方シート部１６０は、不織布により形成される。不織布としてはスパンボンド不織布、スルーエア不織布、スパンレース不織布等を使用することができる。なお、側方シート部１６０の不織布を構成する繊維は、熱可塑性
繊維が好ましい。本発明においては、芯部がポリエステル（ＰＥＴ）、鞘部がポリエチレン（ＰＥ）による芯鞘複合繊維が使用される。
【００４９】
繊維束１１３は、長手方向Ｙに繊維配向性を有する長繊維の集合体により形成される。この長繊維は熱可塑性繊維であり、本発明においては、芯部がポリエステル（ＰＥＴ）、鞘部がポリエチレン（ＰＥ）による芯鞘複合繊維が使用される。繊維束１１３は、典型的にはトウ繊維を開繊することにより得られる。
なお、基部１３０および繊維束１１３には、着塵油剤（図示せず）が付与される。着塵油剤としては、種々のものを採用することができる。本発明の実施形態に係る清掃体１００において、着塵油剤は流動パラフィンが使用される。
【００５０】
（清掃用具の作用）
本発明に係る清掃用具Ａの作用を、図１０〜図１３に基づき説明する。図１０は、第２領域１２０を当接部２４０に当接させた状態を示す。この状態においては、第１領域１１０が、清掃対象Ｆを清掃するための第１清掃領域１１２を形成する。なお、清掃対象Ｆは床面である。この第１清掃領域１１２が、本発明に係る「第１清掃領域」の一例である。
第１清掃領域１１２は、第１捕捉部１１１として、第１突出領域１１１Ａと、第１窪み領域１１１Ｃとを有する。よって、特に第１突出領域１１１Ａを構成する密繊維領域１１１Ｂにて塵芥が捕捉される。
【００５１】
なお、第１捕捉部１１１に捕捉された塵芥の一部は、開口１４１により形成された通路領域１４１Ａを通過して、第２領域１２０と当接部２４０の間へと送り込まれる。すなわち、第１捕捉部１１１に捕捉された塵芥の一部は、通路領域１４１Ａを経由して、最終的に第２捕捉部１２１にて捕捉される。
【００５２】
使用者は、清掃作業が終了した場合、清掃体１００を保持具２００から取り外す。この際、第２領域１２０側から、第１領域１１０を視認することができる。つまり、第１突出領域１１１Ａにおける奥の方向（第１面１００Ｚ１から見て、基部１３０の方向）に捕捉された塵芥は、第１突出領域１１１Ａを構成する長繊維そのものや、第１突出領域１１１Ａの表面に付着した塵芥により、見えにくい場合がある。一方、このような第１突出領域１１１Ａにおける奥の方向に捕捉された塵芥は、基部１３０側から容易に確認することができる。すなわち、基部１３０は光線透過率が７５パーセント〜９０パーセントに形成されているため、当該塵芥を視認することが可能となる。
【００５３】
図１１〜図１３は、第１領域１１０を当接部２４０に当接させた状態を示す。この状態においては、第２領域１２０が、清掃対象Ｆを清掃するための第２清掃領域１２２を形成する。なお、清掃対象Ｆは床面である。この第２清掃領域１２２が、本発明に係る「第２清掃領域」の一例である。
第２清掃領域１２２は、第２捕捉部１２１として、第２突出領域１２１Ａと、第２窪み領域１２１Ｃとを有する。よって、特に第２突出領域１２１Ａを構成する不織布領域１３１および絡合繊維領域１３４にて塵芥が捕捉される。
なお、上述の通り、第２突出領域１２１Ａおよび第２窪み領域１２１Ｃは、第１領域１１０を当接部２４０に向けた状態で、清掃体１００を保持具２００に固定することにより形成される。
【００５４】
図１２に示す通り、第２捕捉部１２１に捕捉された塵芥の一部は、開口１４１により形成された通路領域１４１Ａを通過して、第１領域１１０と当接部２４０の間へと送り込まれる。すなわち、第２捕捉部１２１に捕捉された塵芥の一部は、通路領域１４１Ａを経由して、最終的に第１捕捉部１１１にて捕捉される。矢印１４１Ｂは、第２捕捉部１２１から第１領域１１０へと送られる塵芥の動きを示す。
第２清掃領域１２２を形成した状態においては、基部１３０と当接部２４０との間に第１突出領域１１１Ａが配置される。すなわち、基部１３０と当接部２４０とにおける塵芥を捕捉可能な領域は、第２清掃領域１２２を形成した場合の方が、第１清掃領域１１２を形成した場合よりも大きい。
【００５５】
使用者が第２清掃領域１２２により清掃作業を継続した場合、第２清掃領域１２２と清掃対象Ｆとの間に摩擦が生ずる。よって、図１３に示す通り、複数の不織布構成繊維体１３２がより絡みやすい状況となる。すなわち、使用者が第２清掃領域１２２により清掃作業を継続した場合、絡合繊維領域１３４および第１絡合繊維領域１３４Ａの形成が顕著となる。特に、自由端を有する第３不織布構成繊維体１３２３の動さが大きくなるため、第１絡合繊維領域１３４Ａが形成されやすい状況となる。
よって、使用者は、第２清掃領域１２２による清掃作業を継続した場合、第２清掃領域１２２により多くの塵芥を捕捉することができる。
【００５６】
使用者は、清掃作業が終了した場合、清掃体１００を保持具２００から取り外す。この際、第１領域１１０側から、第２領域１２０を視認することができる。つまり、第２捕捉部１２１における奥の方向（第２面１００Ｚ２から見て、第１面１００Ｚ１の方向）に捕捉された塵芥は、第２捕捉部１２１の表面に付着した塵芥により、見えにくい場合がある。一方、このような第２捕捉部１２１における奥の方向に捕捉された塵芥は、第１領域１１０側から容易に確認することができる。すなわち、基部１３０は光線透過率が７５パーセント〜９０パーセントに形成されているため、当該塵芥を視認することが可能となる。
【００５７】
本発明に係る清掃用具Ａは、上述の構成の第１捕捉部１１１と第２捕捉部１２１とを適宜選択して使用することができる。例えば、比較的大きな塵芥や、多量の塵芥が存在する場合には、使用者は、第１捕捉部１１１を用いて清掃作業を行うことができる。一方、少量の塵芥が存在する場合には、使用者は、第２捕捉部１２１を用いて清掃作業を行うことができる。
また、第２捕捉部１２１は基部１３０における不織布領域１３１により形成される。すなわち、第２捕捉部１２１を形成するために、格別な構成を必要としないものである。よって、清掃体１００および清掃用具Ａとして、コスト低減に優れた効果を有する。
【００５８】
なお、本発明は上記の実施の形態のみに限定されるものではなく、種々の応用や変形が考えられる。例えば、第１領域１１０に凹凸を有する発泡体を設けることができる、この際、第１突出領域１１１Ａは、発泡体の凸部により形成することができる。
また、開口１４１は、切込みではなく、穿孔することにより形成することができる。
また、基部１３０は、複数の不織布を積層することにより形成することができる。また、基部１３０を、第１領域１１０側にフィルムを配置し、第２領域１２０側に不織布を配置することにより形成することもできる。
【００５９】
以下、上記実施形態の変形例につき説明を行うが、上記実施形態における清掃用具Ａと同一の構成にあっては、同一の符号を付すとともにその説明を省略する。
【００６０】
（第１変形例）
図１４〜図１５に基づき第１変形例を説明する。第１変形例に係る清掃用具Ａ１（図示しない）は、上述の実施形態における清掃用具Ａに比して、清掃体の構成が異なる。第１変形例に係る清掃用具Ａ１の保持具２０１（図示しない）は、実施形態に係る保持具２００と同一の構成であるため、その説明を省略する。図１４〜図１５において、第１接合部１５０は説明の便宜上、省略する。
【００６１】
第１変形例に係る清掃体１０１は、実施形態に係る清掃体１００に加え、表示部１７０を有する。表示部１７０は、基部１３０に印刷を施すことにより形成される。表示部１７０は、「清掃体１００を保持具２００に取り付ける際において、清掃体１００を長手方向Ｙ上の端部１００Ｙ側に引っ張りながら取り付けること」を示すものである。図１４〜図１５において、表示部１７０は清掃体１００の長手方向Ｙ上の端部１００Ｙ方向に向けられた矢印により形成されている。一方、表示部１７０は、その他の記号により形成することもできる。また、表示部１７０は、具体的な文章により形成することもできる。
この表示部１７０の表示に基づき、使用者は、清掃体１００を、端部１００Ｙ方向に引っ張りながら、保持具２００に取り付ける。この結果、基部１３０に設けられた切込みによる開口を、確実に形成することが可能となる。
従って、第１変形例に係る清掃体１０１は、実施形態に係る清掃体１００に比して、より多くの塵芥を、第１領域１１０から第２領域１２０へ（第２領域１２０から第１領域１１０へ）導くことができる。
【００６２】
（第２変形例）
図１６〜図１７に基づき第２変形例を説明する。第２変形例に係る清掃用具Ａ２（図示しない）は、上述の実施形態における清掃用具Ａに比して、清掃体の構成が異なる。第１変形例に係る清掃用具Ａ１の保持具２０２（図示しない）は、実施形態に係る保持具２００と同一の構成であるため、その説明を省略する。
【００６３】
第２変形例に係る清掃体１０２は、実施形態に係る清掃体１００と比して、第２接合部１３３の構成が異なる。第２変形例に係る清掃体１０２の基部１３０は、第１変形例に係る清掃体１０１と同様に、スパンボンド不織布が使用される。スパンボンド不織布を構成する不織布構成繊維体１３２は、所望の領域が熱溶着されることにより第３接合部１８０が形成される。なお、不織布構成繊維体１３２は、実施形態に係る清掃体１００と同様に、芯部１３２Ａと鞘部１３２Ｂとを有する芯鞘複合繊維である。なお、芯部１３２Ａと鞘部１３２Ｂはともに熱可塑性繊維により形成される。一方、芯部１３２Ａよりも鞘部１３２Ｂの方が、溶融温度が低い。
【００６４】
第３接合部１８０は、接合促進部１８０Ａと、接合抑制部１８０Ｂとにより形成される。第３接合部１８０において、接合促進部１８０Ａの方が、接合抑制部１８０Ｂと比較して、鞘部１３２Ｂの溶融度合が大きいものである。
接合促進部１８０Ａは、第３接合部１８０の外周を形成する。接合抑制部１８０Ｂは、接合促進部１８０Ａに囲まれた領域に形成される。第３接合部１８０をエンボス加工にて形成する場合においては、環状の凸部を有するエンボスロール（図示せず）が使用される。この環状の凸部によりエンボス加工された基部１３０の領域が接合促進部１８０Ａを形成する。そして、環状の凸部からの放熱により接合抑制部１８０Ｂが形成される。
接合抑制部１８０Ｂは、エンボスロールの凸部からの熱および圧力を直接受けることなく形成される。すなわち、接合抑制部１８０Ｂにおいては、不織布構成繊維体１３２における芯部１３２Ａが溶融されずに、鞘部１３２Ｂのみが溶融される。その結果、接合抑制部１８０Ｂは、不織布構成繊維体１３２における鞘部１３２Ｂ同士が溶着するとともに、不織布構成繊維体１３２同士の間に空隙部１３２Ｃが形成される。よって、接合抑制部１８０Ｂにおいて溶着されている不織布構成繊維体１３２は、接合促進部１８０Ａにおいて溶着されている不織布構成繊維体１３２と比して剥離しやすい構成である。
【００６５】
このように構成された清掃体１０２において、第２清掃領域１２２にて清掃作業を行う。すると、第２清掃領域１２２と清掃対象Ｆとの間に摩擦が生じ、上述の如く、絡合繊維領域１３４の形成が顕著となる。さらに、接合抑制部１８０Ｂにおいて溶着された不織布構成繊維体１３２が剥離される。この剥離された不織布構成繊維体１３２は、さらに絡合繊維領域１３４を形成する。すなわち、第２変形例に係る清掃体１０２は、実施形態に係る清掃体１００に比して、絡合繊維領域１３４をより形成しやすい構成となる。したがって、第２変形例に係る清掃体１０２の第２捕捉部１２１は、実施形態に係る清掃体１００の第２捕捉部１２１に比して、より塵芥を捕捉しやすい。
【００６６】
なお、接合促進部１８０Ａは環状の構成に限られない。例えば、接合促進部１８０Ａは、線状の接合部分を複数個並列して配置することにより形成することができる。この場合、接合抑制部１８０Ｂは、並列に配置された線状の接合部分の内、隣り合う線状の接合部分の間に形成される。
【００６７】
本発明に係る清掃用具にあっては、上述した実施形態および第１〜第２変形例に記載した構成にのみ限定されるものではない。すなわち、実施形態および第１〜第２変形例に記載した構成を適宜組み合わせることが可能である。また、さらに他の構成の変形例とすることが可能である。
【００６８】
（実施の形態ないし実施例本発明の各構成要素の対応について）
清掃用具Ａ、Ａ１、Ａ２は、本発明に係る「清掃用具」の一例である。保持具２００は、本発明に係る「保持具」の一例である。清掃体１００は、本発明に係る「清掃シート」の一例である。保持部２３０は、本発明に係る「保持部」の一例である。当接部２４０は、本発明に係る「当接部」の一例である。長手方向Ｙは、本発明に係る「長手方向」の一例である。長手交差方向Ｘは、本発明に係る「長手交差方向」の一例である。長手方向交差端部領域１００Ｘ１は、本発明に係る「長手交差方向上の両端部を含む領域」の一例である。中央領域１００Ｃ１は、本発明に係る「中央領域」の一例である。第１面１００Ｚ１は、本発明に係る「第１面」の一例である。第２面１００Ｚ２は、本発明に係る「第２面」の一例である。第１領域１１０は、本発明に係る「第１領域」の一例である。第２領域１２０は、本発明に係る「第２領域」の一例である。基部１３０は、本発明に係る「基部」の一例である。固定領域１６１は、本発明に係る「固定領域」の一例である。第１折り返し部１６１Ａは、本発明に係る「第１折り返し部」の一例である。第２折り返し部１６１Ｂは、本発明に係る「第２折り返し部」の一例である。開口１４１は、本発明に係る「開口」の一例である。通路領域１４１Ａは、本発明に係る「通路領域」の一例である。第１捕捉部１１１は、本発明に係る「第１捕捉部」の一例である。不織布構成繊維体１３２は、本発明に係る「不織布構成繊維体」の一例である。不織布は、本発明に係る「不織布」の一例である。不織布領域１３１は、本発明に係る「不織布領域１３１」の一例である。第２捕捉部１２１は、本発明に係る「第２捕捉部」の一例である。絡合繊維領域１３４は、本発明に係る「絡合繊維領域」の一例である。第１清掃領域１１２は、本発明に係る「第１清掃領域」の一例である。第２清掃領域１２２は、本発明に係る「第２清掃領域」の一例である。
【００６９】
以上の発明の趣旨に鑑み、本発明に係る清掃シートおよび清掃用具は、下記の態様が構成可能である。
（態様１）
保持具に取り付けることにより使用される清掃シートであって、
前記清掃シートは、長手方向と、当該長手方向と交差する方向である長手交差方向に延在するとともに不織布により形成される基部と、第１面と、当該第１面と対向する面である第２面とを有し、
前記基部は、前記第１面側に位置する第１領域と、前記第２面側に位置する第２領域と、前記不織布を構成する繊維である不織布構成繊維体と、前記不織布が露出する領域である不織布領域とを有し、
前記第２領域を前記保持具側に向けた状態において前記清掃シートを前記保持具に取り付けた場合に、前記第１領域は第１清掃領域を形成し、
前記第１領域を前記保持具側に向けた状態において前記清掃シートを前記保持具に取り付けた場合に、前記第２領域は第２清掃領域を形成し、
前記第１清掃領域は、塵芥を捕捉する領域である第１捕捉部を有し、
前記第２清掃領域は、前記不織布領域により形成されるとともに塵芥を捕捉する第２捕捉部を有することを特徴とする清掃シート。
【００７０】
（態様２）
態様１に記載された清掃シートであって、
前記清掃シートは、前記長手交差方向上の両端部を含む領域に、前記保持具に固定される固定領域を有することを特徴とする清掃シート。
【００７１】
（態様３）
態様２に記載された清掃シートであって、
前記清掃シートは、前記長手方向に延びるとともに前記第１面における前記長手交差方向上の端部領域を、前記第１面における中央領域の方向に向かって折り返す第１折り返し部を有し、
前記清掃シートを前記第１折り返し部により折り返すことによって、前記第１面における前記固定領域を、前記保持具に固定することを特徴とする清掃シート。
【００７２】
（態様４）
態様２に記載された清掃シートであって、
前記清掃シートは、前記長手方向に延びるとともに前記第２面における前記長手交差方向上の端部領域を、前記第２面における中央領域の方向に向かって折り返す第２折り返し部を有し、
前記清掃シートを前記第２折り返し部により折り返すことによって、前記第２面における前記固定領域を、前記保持具に固定することを特徴とする清掃シート。
【００７３】
（態様５）
態様１〜４のいずれか１項に記載された清掃シートであって、
前記第２捕捉部は、複数の前記不織布構成繊維体が絡まることにより形成される絡合繊維領域を有することを特徴とする清掃シート。
【００７４】
（態様６）
態様１〜５のいずれか１項に記載された清掃シートであって、
前記第１領域は、複数の長繊維の集合体により形成された繊維束と、当該繊維束と前記基部とを接合する接合部とを有し、
前記第１捕捉部は、前記繊維束により形成されることを特徴とする清掃シート。
【００７５】
（態様７）
態様１〜６のいずれか１項に記載された清掃シートであって、
前記基部は、開口を有し、
当該開口は、前記第１領域と前記第２領域との間に亘る通路領域を形成することを特徴とする清掃シート。
【００７６】
（態様８）
態様１〜７のいずれか１項に記載された清掃シートであって、
前記第１領域は、前記基部に対して突出する領域である第１突出領域と、当該第１突出領域よりも前記基部に対して突出していない領域である第１窪み領域とを有し、
前記第２領域は、前記第１領域を前記保持具側に向けた状態において前記清掃シートを前記保持具に取り付けた場合に、前記保持具と前記基部との間に位置する前記第１突出領域および前記第１窪み領域により前記基部が撓むことによって、前記保持具に対して突出する領域である第２突出領域と、当該第２突出領域よりも前記保持具に対して突出していない領域である第２窪み領域とが形成されることを特徴とする清掃シート。
【００７７】
（態様９）
態様８に記載された清掃シートであって、
前記第２突出領域は、前記第１領域において前記第１突出領域が形成されている領域に対応する、前記第２領域における少なくとも一部の領域に形成されることを特徴とする清掃シート。
【００７８】
（態様１０）
態様８または９に記載された清掃シートであって、
前記第２窪み領域は、前記第１領域において前記第１窪み領域が形成されている領域に対応する、前記第２領域における少なくとも一部の領域に形成されることを特徴とする清掃シート。
【００７９】
（態様１１）
態様８〜１０のいずれか１項に記載された清掃シートであって、
前記基部は、前記第１領域において、複数の長繊維の集合体により形成された繊維束と、当該繊維束と前記基部とを接合する複数の接合部とを有し、
前記繊維束は、隣り合う前記接合部の間において、前記長繊維が存在する密繊維領域と、前記密繊維領域よりも存在する前記長繊維が少ない疎繊維領域とを有し、
前記密繊維領域が前記第１突出領域を形成し、
前記疎繊維領域が前記第１窪み領域を形成することを特徴とする清掃シート。
【００８０】
（態様１２）
態様１〜１１のいずれか１項に記載された清掃シートであって、
前記基部は、光線透過率が７５〜９０パーセントであり、前記第１領域側から前記第２領域側を視認することが可能であることを特徴とする清掃シート。
【００８１】
（態様１３）
態様１〜１２のいずれか１項に記載された清掃シートであって、
前記基部は、光線透過率が７５〜９０パーセントであり、前記第２領域側から前記第１領域側を視認することが可能であることを特徴とする清掃シート。
【００８２】
（態様１４）
保持具と、当該保持具に取り付けることにより使用される清掃シートとを有する清掃用具であって、
前記保持具は、使用者に把持される把持部と、前記清掃シートを保持するための保持部と、当該保持部に保持された清掃シートが当接される当接部を有し、
前記清掃シートは、長手方向と、当該長手方向と交差する方向である長手交差方向に延在するとともに不織布により形成される基部と、第１面と、当該第１面と対向する面である第２面とを有し、
前記基部は、前記第１面側に位置する第１領域と、前記第２面側に位置する第２領域と、前記不織布を構成する繊維である不織布構成繊維体と、前記不織布が露出する領域である不織布領域とを有し、
前記第２領域を前記当接部側に向けた状態において前記清掃シートを前記保持部に固定した場合に、前記第１領域は第１清掃領域を形成し、
前記第１領域を前記当接部側に向けた状態において前記清掃シートを前記保持部に固定した場合に、前記第２領域は第２清掃領域を形成し、
前記第１清掃領域は、塵芥を捕捉する領域である第１捕捉部を有し、
前記第２清掃領域は、前記不織布領域により形成されるとともに塵芥を捕捉する第２捕捉部を有することを特徴とする清掃用具。
【００８３】
（態様１５）
態様１４に記載された清掃用具であって、
前記清掃シートは、前記長手交差方向上の両端部を含む領域に、前記保持部に固定される固定領域を有することを特徴とする清掃用具。
【００８４】
（態様１６）
態様１５に記載された清掃用具であって、
前記清掃シートは、前記長手方向に延びるとともに前記第１面における前記長手交差方向上の端部領域を、前記第１面における中央領域の方向に向かって折り返す第１折り返し部を有し、
前記清掃シートを前記第１折り返し部により折り返すことによって、前記第１面における前記固定領域を、前記保持部に固定することを特徴とする清掃用具。
【００８５】
（態様１７）
態様１５に記載された清掃用具であって、
前記清掃シートは、前記長手方向に延びるとともに前記第２面における前記長手交差方向上の端部領域を、前記第２面における中央領域の方向に向かって折り返す第２折り返し部を有し、
前記清掃シートを前記第２折り返し部により折り返すことによって、前記第２面における前記固定領域を、前記保持部に固定することを特徴とする清掃用具。
【００８６】
（態様１８）
態様１４〜１７のいずれか１項に記載された清掃用具であって、
前記第２捕捉部は、複数の前記不織布構成繊維体が絡まることにより形成される絡合繊維領域を有することを特徴とする清掃用具。
【００８７】
（態様１９）
態様１４〜１８のいずれか１項に記載された清掃用具であって、
前記第１領域は、複数の長繊維の集合体により形成された繊維束と、当該繊維束と前記基部とを接合する接合部とを有し、
前記第１捕捉部は、前記繊維束により形成されることを特徴とする清掃用具。
【００８８】
（態様２０）
態様１４〜１９のいずれか１項に記載された清掃用具であって、
前記基部は、開口を有し、
当該開口は、前記第１領域と前記第２領域との間に亘る通路領域を形成することを特徴とする清掃用具。
【００８９】
（態様２１）
態様１４〜２０のいずれか１項に記載された清掃用具であって、
前記第１領域は、前記基部に対して突出する領域である第１突出領域と、当該第１突出領域よりも前記基部に対して突出していない領域である第１窪み領域とを有し、
前記第２領域は、前記第１領域を前記当接部側に向けた状態において前記清掃シートを前記保持部に固定した場合に、前記当接部と前記基部との間に位置する前記第１突出領域および前記第１窪み領域により前記基部が撓むことによって、前記当接部に対して突出する領域である第２突出領域と、当該第２突出領域よりも前記当接部に対して突出していない領域である第２窪み領域とが形成されることを特徴とする清掃用具。
【００９０】
（態様２２）
態様２１に記載された清掃用具であって、
前記第２突出領域は、前記第１領域において前記第１突出領域が形成されている領域に対応する、前記第２領域における少なくとも一部の領域に形成されることを特徴とする清掃用具。
【００９１】
（態様２３）
態様２１または２２に記載された清掃用具であって、
前記第２窪み領域は、前記第１領域において前記第１窪み領域が形成されている領域に対応する、前記第２領域における少なくとも一部の領域に形成されることを特徴とする清掃用具。
【００９２】
（態様２４）
態様２１〜２３のいずれか１項に記載された清掃用具であって、
前記基部は、前記第１領域において、複数の長繊維の集合体により形成された繊維束と、当該繊維束と前記基部とを接合する複数の接合部とを有し、
前記繊維束は、隣り合う前記接合部の間において、前記長繊維が存在する密繊維領域と、前記密繊維領域よりも存在する前記長繊維が少ない疎繊維領域とを有し、
前記密繊維領域が前記第１突出領域を形成し、
前記疎繊維領域が前記第１窪み領域を形成することを特徴とする清掃用具。
【００９３】
（態様２５）
態様２１〜２４のいずれか１項に記載された清掃用具であって、
前記基部は、光線透過率が７５〜９０パーセントであり、前記第１領域側から前記第２領域側を視認することが可能であることを特徴とする清掃用具。
【００９４】
（態様２６）
態様２１〜２５のいずれか１項に記載された清掃用具であって、
前記基部は、光線透過率が７５〜９０パーセントであり、前記第２領域側から前記第１領域側を視認することが可能であることを特徴とする清掃用具。
【符号の説明】
【００９５】
Ａ、Ａ１、Ａ２  清掃用具
Ｆ  清掃対象
Ｙ  長手方向
Ｘ  長手交差方向
Ｚ  厚み方向
１００、１０１、１０２  清掃シート（清掃体）
１００Ｃ１  中央領域
１００Ｘ  長手交差方向上の端部
１００Ｘ１  長手交差方向端部領域
１００Ｙ  長手方向上の端部
１００Ｙ１  長手方向端部領域
１００Ｚ１  第１面
１００Ｚ２  第２面
１１０  第１領域
１１１  第１捕捉部
１１１Ａ  第１突出領域
１１１Ｂ  密繊維領域
１１１Ｃ  第１窪み領域
１１１Ｄ  疎繊維領域
１１２  第１清掃領域
１１３  繊維束
１２０  第２領域
１２１  第２捕捉部
１２１Ａ  第２突出領域
１２１Ｂ  第２窪み領域
１２１Ｃ  突出形成領域
１２１Ｄ  窪み形成領域
１２２  第２清掃領域
１３０  基部
１３１  不織布領域
１３２  不織布構成繊維体
１３２１  第１不織布構成繊維体
１３２２  第２不織布構成繊維体
１３２３  第３不織布構成繊維体
１３２Ａ  芯部
１３２Ｂ  鞘部
１３２Ｃ  空隙部
１３３  第２接合部
１３４  絡合繊維領域      
１３４Ａ  第１絡合繊維領域
１４１  開口
１４１Ａ  通路領域
１４１Ｂ  矢印
１５０  第１接合部
１６０  側方シート部
１６１  固定領域
１６１Ａ  第１折り返し部
１６１Ｂ  第２折り返し部
１７０  表示部
１８０  第３接合部
１８０Ａ  接合促進部
１８０Ｂ  接合抑制部
２００、２０１、２０２  保持具
２１０  把持部
２２０  ヘッド部
２２０Ｚ１  第１ヘッド面
２２０Ｚ２  第２ヘッド面
２３０  保持部
２４０  当接部
２５０  パイプ部
２６０  連結部
【図１】
2015066335.tif 000003
【図２】
2015066335.tif 000004
【図３】
2015066335.tif 000005
【図４】
2015066335.tif 000006
【図５】
2015066335.tif 000007
【図６】
2015066335.tif 000008
【図７】
2015066335.tif 000009
【図８】
2015066335.tif 000010
【図９】
2015066335.tif 000011
【図１０】
2015066335.tif 000012
【図１１】
2015066335.tif 000013
【図１２】
2015066335.tif 000014
【図１３】
2015066335.tif 000015
【図１４】
2015066335.tif 000016
【図１５】
2015066335.tif 000017
【図１６】
2015066335.tif 000018
【図１７】
2015066335.tif 000019